【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
陰圧を用いて組織部位を治療するためのドレッシングにおいて、
治療アパーチャと前記治療アパーチャの周囲の複数の穿孔とを備える封止層と、
前記治療アパーチャと整列した複数の流体制限部を備える流体制御層と、
前記流体制限部に隣接するマニホールドと、
フィルム及び感圧接着剤を備えるカバーであって、前記フィルムが、前記マニホールドの上に配置され且つ前記マニホールドの周囲で前記封止層に結合され、前記感圧接着剤が前記複数の穿孔に隣接して配置されている、カバーと、
を備えることを特徴とするドレッシング。
【請求項２】
請求項１に記載のドレッシングにおいて、前記流体制御層がポリウレタンのフィルムを備えることを特徴とするドレッシング。
【請求項３】
請求項２に記載のドレッシングにおいて、前記流体制限部が前記フィルムにスリットを備えることを特徴とするドレッシング。
【請求項４】
請求項３に記載のドレッシングにおいて、前記スリットが、各々、約２ミリメートル〜約５ミリメートルの範囲の長さを有することを特徴とするドレッシング。
【請求項５】
請求項３に記載のドレッシングにおいて、前記スリットが、各々、約３ミリメートルの長さを有することを特徴とするドレッシング。
【請求項６】
請求項１乃至５の何れか一項に記載のドレッシングにおいて、前記封止層がゲルから形成されていることを特徴とするドレッシング。
【請求項７】
請求項１乃至６の何れか一項に記載のドレッシングにおいて、前記封止層が、シリコーンゲルから形成されていることを特徴とするドレッシング。
【請求項８】
請求項１乃至７の何れか一項に記載のドレッシングにおいて、
前記マニホールドが、前記流体制御層に隣接するマニホールド面を画定する第１縁部を有し、
前記流体制御層が、第２縁部を有し、前記第２縁部が、前記マニホールド面に隣接する流体制御面を画定し、且つ前記マニホールド面と同様の形状を有し、
前記マニホールド面が、少なくとも前記流体制御面と同程度の大きさであることを特徴とするドレッシング。
【請求項９】
請求項８に記載のドレッシングにおいて、前記流体制御面が前記治療アパーチャより大きいことを特徴とするドレッシング。
【請求項１０】
請求項１乃至９の何れか一項に記載のドレッシングにおいて、前記マニホールド及び前記流体制御層のうちの少なくとも一方が、前記治療アパーチャの周囲の外縁部に結合されていることを特徴とするドレッシング。
【請求項１１】
請求項１０に記載のドレッシングにおいて、前記外縁部が、約２ミリメートル〜約３ミリメートルの範囲の幅を有することを特徴とするドレッシング。
【請求項１２】
請求項１乃至１１の何れか一項に記載のドレッシングにおいて、前記治療アパーチャが前記マニホールドに対して相補的であることを特徴とするドレッシング。
【請求項１３】
請求項１乃至１２の何れか一項に記載のドレッシングにおいて、前記治療アパーチャが前記マニホールドの周囲に窓を形成していることを特徴とするドレッシング。
【請求項１４】
請求項１乃至１３の何れか一項に記載のドレッシングにおいて、前記治療アパーチャが、約９０ミリメートル〜約１１０ミリメートルの範囲の幅と、約１５０ミリメートル〜約１６０ミリメートルの範囲の長さとを有することを特徴とするドレッシング。
【請求項１５】
陰圧を用いて組織部位を治療するためのドレッシングにおいて、
マニホールドと、
前記マニホールドに隣接する複数の流体制限部を備える流体制御層と、
複数の穿孔を備えるゲル層であって、前記穿孔のうちの少なくともいくつかが、前記流体制限部のうちの２つ以上と整列している、ゲル層と、
無孔フィルム及び感圧接着剤を備えるカバーであって、前記無孔フィルムが、前記マニホールドの上に配置され且つ前記マニホールドの周囲で前記ゲル層に結合され、前記感圧接着剤が、前記複数の穿孔に隣接して配置されている、カバーと、
を備えることを特徴とするドレッシング。
【請求項１６】
請求項１５に記載のドレッシングにおいて、前記穿孔が、円形であり、約７ミリメートル〜約９ミリメートルの範囲の直径を有することを特徴とするドレッシング。
【請求項１７】
請求項１５又は１６に記載のドレッシングにおいて、前記流体制御層がポリウレタンのフィルムを備えることを特徴とするドレッシング。
【請求項１８】
請求項１５乃至１７の何れか一項に記載のドレッシングにおいて、前記流体制限部が前記フィルムにスリットを備えることを特徴とするドレッシング。
【請求項１９】
請求項１８に記載のドレッシングにおいて、前記スリットが、各々、約２ミリメートル〜約５ミリメートルの範囲の長さを有することを特徴とするドレッシング。
【請求項２０】
請求項１９に記載のドレッシングにおいて、前記スリットが、各々、約３ミリメートルの長さを有することを特徴とするドレッシング。
【請求項２１】
請求項１５乃至２０の何れか一項に記載のドレッシングにおいて、前記穿孔が円形であり、約７ミリメートル〜約９ミリメートルの範囲の直径を有することを特徴とするドレッシング。
【請求項２２】
陰圧を用いて組織部位を治療するためのドレッシングにおいて、
接着剤を有するカバーと、
マニホールドと、
穿孔ポリマーフィルムと、
治療アパーチャを有する穿孔シリコーンゲルと、
を備え、
前記カバー、前記マニホールド、前記穿孔ポリマーフィルム及び前記穿孔シリコーンゲルが、前記カバー及び前記穿孔シリコーンゲルが前記マニホールドを封入した状態で、積層関係で組み立てられ、前記穿孔ポリマーフィルムが、前記治療アパーチャを通して少なくとも部分的に露出され、前記接着剤の少なくとも幾分かが、前記治療アパーチャの周囲で前記穿孔シリコーンゲルを通して露出されていることを特徴とするドレッシング。
【請求項２３】
請求項２２に記載のドレッシングにおいて、前記治療アパーチャが前記マニホールドの表面に対応することを特徴とするドレッシング。
【請求項２４】
請求項２２又は２３に記載のドレッシングにおいて、前記治療アパーチャが前記マニホールドの周囲に枠を形成していることを特徴とするドレッシング。
【請求項２５】
請求項２２乃至２４の何れか一項に記載のドレッシングにおいて、前記治療アパーチャが、約９０ミリメートル〜約１１０ミリメートルの範囲の幅と、約１５０ミリメートル〜約１６０ミリメートルの範囲の長さとを有することを特徴とするドレッシング。
【請求項２６】
陰圧を用いて組織部位を治療するためのドレッシングにおいて、
マニホールドと、
開放中心窓と前記開放中心窓の周囲の複数の開口部とを備えるゲル層と、
前記開放中心窓にわたって延在し且つ複数の流体制限部を備える流体制御層と、
無孔フィルム及び感圧接着剤を備えるカバーであって、前記無孔フィルムが、前記マニホールドの上に配置され且つ前記マニホールドの周囲で前記ゲル層に結合され、前記感圧接着剤が、前記複数の穿孔に隣接して配置されている、カバーと、
を備えることを特徴とするドレッシング。
【請求項２７】
請求項２６に記載のドレッシングにおいて、前記開放中心窓が、前記ゲル層において約２０％〜約８０％の開口部を備えることを特徴とするドレッシング。
【請求項２８】
請求項２６又は２７に記載のドレッシングにおいて、前記開放中心窓が、約９０ミリメートル〜約１１０ミリメートルの範囲の幅と、約１５０ミリメートル〜約１６０ミリメートルの範囲の長さとを有することを特徴とするドレッシング。
【請求項２９】
請求項２６乃至２８の何れか一項に記載のドレッシングにおいて、前記開放中心窓が、前記流体制御層を通る流体の侵入を可能にする開口部を備えることを特徴とするドレッシング。
【請求項３０】
請求項２６乃至２９の何れか一項に記載のドレッシングにおいて、前記開放中心窓が、前記開放中心窓に近接する前記マニホールドの表面積の２０％以内の面積を有することを特徴とするドレッシング。
【請求項３１】
陰圧を用いて組織部位を治療するためのドレッシングにおいて、
陰圧の通過及び創傷流体の通過のためのフォームマニホールドと、
前記マニホールドを介する陰圧の送達及び創傷流体の通過のための開放領域を有する下面であって、前記開放領域が、組織に封止するためにドレープ領域によって包囲され、前記ドレープ領域が、接着剤を有し、且つ前記マニホールドを介する前記陰圧の通路のための開口部を含まない、下面と、
前記下面の前記開放領域にわたって延在し、前記フォームマニホールド内へ前記陰圧及び創傷流体の通過のための開口部を有する、ポリマーフィルム創傷接触層と、
を備えることを特徴とするドレッシング。
【請求項３２】
請求項３１に記載のドレッシングにおいて、前記ドレッシングがカバーをさらに備え、前記カバーが、前記マニホールドの上に配置され且つ前記マニホールドの周囲で前記ドレープ領域に結合されたドレープを備えることを特徴とするドレッシング。